(57)【要約】【課題】雨水を備蓄し、災害時に水洗トイレの洗浄水、火災時の消火用水等として供給可能とし、平常時にも庭木その他への水遣り用水の供給用として使用可能とする。【解決手段】建物に近接して配したタンク本体１と、これを高所に支持する脚部材２、２、２と、各々タンク本体１に配した以下の構成要素とからなる。タンク本体１に配した構成要素は、その天板１ａに開口した開口部１ａ１と、開口部１ａ１を開閉自在に閉じるロック手段付きの蓋体１ａ２と、天板１ａに立ち上げたパイプ状の雨水導入口３と、天板１ａに立ち上げたタケノコ状の浴槽水の導入口９と、前面右側の最上部から垂下させたオーバーフロー用の流出管４と、前面左側の最上部と最下部間を接続する状態に配した水位表示部５と、底部右側から垂下させた防災用水取出口（防災用水取出手段）６と、底部左側から垂下させた水遣り用の用水取出口７とからなる。【選択図】  図１
0003121589.tif 000002
【実用新案登録請求の範囲】
【請求項１】
タンク本体と、これを地上の一定高さ位置に支持する脚部材と、該タンク本体に付設した付設手段からなる災害用水タンクであって、
該付設手段として、
該タンク本体の天板に開口した開口部と、
該開口部を開閉自在に閉じるロック手段付きの蓋体と、
該天板に配した雨水を建物の樋から導入するための雨水導入口と、
該タンク本体の前面上部に接続したオーバーフロー用の流出管と、
上端を該前面上部に、下端を前面下部にそれぞれ接続した透明パイプで構成した水位表示部と、
該タンク本体の底部に接続した防災用水取出手段と、
該底部から垂下させた植物類への水遣り用の用水取出口と、
を構成した災害用水タンク。
【請求項２】
前記タンク本体の天板部に使用済みの浴槽水の導入口を付設した請求項１の災害用水タンク。
【請求項３】
前記雨水導入口にストレーナを配した請求項１又は２の災害用水タンク。
【請求項４】
前記雨水導入口として複数のそれを前記タンク本体の天板部の各々異なる位置に構成し、建物の樋と接続しないそれは蓋材で閉じるように構成した請求項１の災害用水タンク。
【請求項５】
前記浴槽水の導入口として複数のそれを前記タンク本体の天板部の各々異なる位置に構成し、建物の浴槽から延長した浴槽水の供給管と接続しないそれは蓋材で閉じるように構成した請求項２の災害用水タンク。
【考案の詳細な説明】
【技術分野】
【０００１】
本考案は、雨水や使用済みの浴槽水等を備蓄して、その水を平時には庭に植えてある植物類への水遣り用等に使用することが可能であり、地震その他の災害時にはトイレ用水、消火用水その他の用途に使用することができる災害用水タンクに関する。
【背景技術】
【０００２】
この種の災害用水タンク又はこれに類する水槽類には種々の提案がある。
例えば、特許文献１は、非常用水を蓄える貯水槽と、一端が水道水の引込み側と連通すると共に他端が前記貯水槽の上端から挿入されて前記貯水槽の底部近傍まで延び、前記水道水の引込み側から導かれた水道水を前記貯水槽の底部近傍に導入する導入管と、この導入管に設けられた逆止弁と、一端が前記貯水槽の上端に接続され、他端が家庭用配水管側に連通して前記貯水槽に水道水が満たされている平常時には前記貯水槽内の水道水を順次家庭内に給水するための出口配管と、前記水道水の引込み側の断水時に前記貯水槽の上部から挿入されてその一端が前記貯水槽の底部近傍まで延び、他端が前記貯水槽内の水の非常時用取出口となる非常時用取出管と、前記貯水槽の上部から空気を導入して前記貯水槽内の水道水を前記非常時用取出管を介して汲み上げる手動ポンプ機構とを備えた非常時用貯水装置を提案している。
【０００３】
従ってこの特許文献１の非常時用貯水装置によれば、これを水道配管の途中に挿入して使用することにより、平常時には、問題なく水道の使用が可能であり、非常時に、たとえ水道が断水状態となっても、前記貯水槽に満たされている水道水を非常時用取出管を利用して取り出すことが可能である。停電等の障害があっても手動ポンプによって汲み上げが可能である。
【０００４】
しかしこの特許文献１の非常時用貯水装置では、有料の水道水を用いるものであり、経済的に適当であるとは云えない。また日常の水道水の供給を貯水槽に一時滞留させた上で行うものであり、飲料、或いは調理用にも用いることを考慮すると、衛生面で適当であるとは言い難い。
【０００５】
特許文献２は、家庭に配された給水配管所定箇所に伸縮可撓管を介して接続されると共に、裏面を壁方向に向けて配設される非常用水タンクであって、タンク部の下方部所定箇所に開閉機能を有する給水部が設けられ、該タンク部は前後で複数の脚部により所定高さ位置に支持されていると共に、前記脚部のうち、前方もしくは後方の脚部の下端が移動規制部となり、その他方にある脚部の下端が移動手段としてのキャスターになっている非常用水タンクを提案している。
【０００６】
この特許文献２の非常用水タンクは、平常時は、特許文献１の非常時用貯水装置と同様に、水道配管の途中に挿入して同様に使用され、非常時には、該水道配管の途中から外して、その中に満たされていた水道水を使用しようとするものである。特許文献１と異なるのは、水道配管から外して使用すること、水をポンプを使用せず、底部付近から取り出すこと、移動手段であるキャスターが装備されていることである。
【０００７】
従ってこの特許文献２の非常用水タンクは、特許文献１の非常時用貯水装置と同様に、有料の水道水を用いる経済上の問題、更には、日常の水道水の供給を貯水槽に一時滞留させた上で行うものであり、衛生面での問題も避け難いと言うべきである。
【０００８】
特許文献３は、建物における便所には該便所の外壁を兼ねた貯水槽を配設し、該貯水槽には建物の屋根に降った雨水を導入し、該貯水槽には該貯水槽を便所内から外方に貫通する出窓を組み込み、該貯水槽は給水管を介して便所内の便器の給水タンクに連結し、更に該貯水槽には該貯水槽から雨水を取り出すための取水口を備えさせ、該貯水槽は出窓を組み込んだ状態で予め工場生産されるようにした便所用雨水貯水装置を提案している。
【０００９】
この特許文献３の便所用雨水貯水装置は、特許文献１、２の技術と比較して雨水を有効利用する点で経済的に優れるものであるが、建物の一部に組み込まれるものであるため、建物の設計を限定する問題がある。
【００１０】
【特許文献１】特開平０９−２７９６４４号公報
【特許文献２】特開平０９−８６５９３号公報
【特許文献３】特開２００２−３６４０２６号公報
【考案の開示】
【考案が解決しようとする課題】
【００１１】
本考案は、以上に述べた従来技術の問題点を解決し、雨水や使用済みの浴槽水を利用して経済的に用水の備蓄を行い、かつ建物の設計を限定することなく設置が可能であり、地震等の災害により水道が使用不能となった場合に、同時に使用不能となる水洗トイレその他に必要な水洗用の水、或いは消火用水等を供給可能とし、他方、平常時には、庭木その他への水遣り用水の供給用としても使用可能な災害用水タンクを提供することを解決の課題とする。
【課題を解決するための手段】
【００１２】
本考案の１は、タンク本体と、これを地上の一定高さ位置に支持する脚部材と、該タンク本体に付設した付設手段からなる災害用水タンクであって、
該付設手段として、該タンク本体の天板に開口した開口部と、該開口部を開閉自在に閉じるロック手段付きの蓋体と、該天板に配した雨水を建物の樋から導入するための雨水導入口と、該タンク本体の前面上部に接続したオーバーフロー用の流出管と、上端を該前面上部に、下端を前面下部にそれぞれ接続した透明パイプで構成した水位表示部と、該タンク本体の底部に接続した防災用水取出手段と、該底部から垂下させた植物類への水遣り用の用水取出口とを構成した災害用水タンクである。
【００１３】
本考案の２は、本考案の１の災害用水タンクに於いて、前記タンク本体の天板部に使用済みの浴槽水の導入口を付設したものである。
【００１４】
本考案の３は、本考案の１又は２の災害用水タンクに於いて、前記雨水導入口にストレーナを配したものである。
【００１５】
本考案の４は、本考案の１の災害用水タンクに於いて、前記雨水導入口として複数のそれを前記タンク本体の天板部の各々異なる位置に構成し、建物の樋と接続しないそれは蓋材で閉じるように構成したものである。
【００１６】
本考案の５は、本考案の２の災害用水タンクに於いて、前記浴槽水の導入口として複数のそれを前記タンク本体の天板部の各々異なる位置に構成し、建物の浴槽から延長した浴槽水の供給管と接続しないそれは蓋材で閉じるように構成したものである。
【考案の効果】
【００１７】
本考案の１の災害用水タンクによれば、これを建物に近接して設置し、その建物の樋を直接に又は何らかのパイプ類を介して雨水導入口に接続すれば、雨が降る毎にタンク本体内に流入して保管され、容量以上に流入した場合は、オーバーフローが生じ、流出管を通じて排出されることになる。流出管をホース類を介して側溝等に接続しておけば、適切に排水されることになる。
【００１８】
タンク本体中に保管された雨水は、平常時には、その底部下の用水取出口にホース類を接続し、庭の植物類に水遣りを行う際等に使用することができる。
【００１９】
また防災用水取出手段にホースその他の配管類を接続し、これを建物内に導き、他方、水洗トイレのボールタップに接続する配管の途中に切換バルブを挿入しておき、その一方の分岐に水道配管を、他方の分岐に該防災用水取出手段から延長した配管類を、各々接続し、適宜該切換バルブを切り換えることにより、水道水と本考案の１の災害用水タンクの雨水とを切換利用できるように構成することができる。水道側の配管には、逆止弁を挿入して雨水が逆流する虞がないようにする必要がある。
【００２０】
このようにすることにより、同様に平常時にもトイレ用洗浄用水として雨水を有効利用することもできる。なお、タンク本体は脚部材により地上から一定高さ位置に設置してあるため、該タンク本体内の雨水は高低差を利用して建物内の水洗トイレのタンクに導くことができる。
【００２１】
従って本考案の１の災害用水タンクによれば、平常時にも庭木等の水遣りや水洗トイレの洗浄用その他に利用することができる。このとき、タンク本体内の水位は水位表示部中の水位を見ることにより知ることができ、水位が低下した場合は、例えば、水洗用に利用する場合は、前記切換バルブを水道側に切り換える等の使用の仕方をすることができる。いずれにしても水道の使用量を低減することができるので経済的となる。
【００２２】
地震等の災害時で、水道の断水等が生じた場合には、前記切換バルブを防災用水タンク側に切り換え、そのタンク本体内の雨水を水洗トイレの洗浄水として使用することができる。なお、この場合、前記のように、ボールタップ直前の配管の途中に切換バルブを挿入するような手段ではなく、防災用水取出手段に接続したホースその他の配管類を建物内に導いておき、該ホースの先端に更に開閉弁付きのノズルを取り付けておくことにより、必要に応じて該ノズルを便器内に向け、該開閉弁を開いて雨水を噴射させて便器内を洗浄するような使用の仕方をすることもできる。この方が構成が簡易である利点がある。
【００２３】
また、火災が発生したような場合に、防災用水取出手段から取り出す雨水を消火用水として利用することも可能である。該防災用水取出手段にノズル付きのホースを接続して雨水を噴射することも可能であるが、タンク本体の設置位置との関係から高所に噴射できるほど水圧が高くはないので、木造建築の民家等の低所の消火用として適当であることになる。この場合、小型発電機及びポンプを別に用意しておき、以上の場合に、該小型発電機を動作させ、その電力でポンプを駆動し、タンク本体内の水を圧送できるようにすれば、高所の消火活動にも十分利用可能となる。
【００２４】
以上のように火災が発生したような場合には、また防災用水取出手段から直接バケツ類に水をくみ出し、バケツリレー等により火災現場まで運んで利用することも勿論可能である。
【００２５】
なお前記小型発電機及びポンプは、水洗トイレの洗浄用水として、単にトイレ内にホースで引き込む前記簡易な構成で用いる場合にも適度な噴射圧が得られて好都合である。更に前記のように、ボールタップの直前に切換バルブを介して配管類を接続してタンク本体内の雨水を用いる場合も同様である。
【００２６】
こうして雨水を有効利用することができる。
【００２７】
またタンク本体の天板には、ロック手段付きの蓋体が配してある開口部が構成してあるため、時々ロック手段のロックを解除して蓋体を開け、内部の清掃を行うことができる。そのため、タンク本体内を衛生的に保持することができる。更にこの蓋体にはロック手段が付設してあるため、閉じた蓋体をロックしておくことにより、タンク本体内に何かを投入される等のようないたずらを回避することができる。
【００２８】
本考案の２の災害用水タンクによれば、好天が継続して雨水が得られず、タンク本体内の水位が低下した場合は、前記浴槽水の導入口に先端に水中ポンプを挿入したホース等を接続し、使用済みの浴槽水を該タンク本体内に導入して、常時、タンク本体内の水位を高く保持するようにすることができる。
【００２９】
本発明の３の災害用水タンクによれば、前記雨水導入口にストレーナを配してあるため、雨水と共に流入する可能性のある枯葉その他のゴミ類がタンク本体内に侵入するのを阻止することができる。時々ストレーナを点検し、ゴミを除去しておけば、雨水の良好な流入を保持することができる。
【００３０】
本考案の４又は５の災害用水タンクによれば、それぞれ複数の雨水導入口又は浴槽水の導入口が天板の異なる位置に構成してあるため、建物に近接してこれを設置した場合の種々の都合に応じて、いずれか都合の良い位置のそれらを使用することができる。他方、他の部位に設置してある雨水導入口又は浴槽水の導入口は蓋材で閉じておくことができる。
【考案を実施するための最良の形態】
【００３１】
本考案の災害用水タンクは、基本的に、タンク本体と、これを支持する脚部材と、付設手段からなるものであり、付設手段としては、該タンク本体の天板に開口した開口部と、該開口部を開閉自在に閉じる蓋体と、雨水導入口と、オーバーフロー用の流出管と、水位表示部と、防災用水取出手段と、水遣り用の用水取出口とを採用したものである。
【００３２】
前記タンク本体は、形状及び容量は限定されないが、地震等の災害に伴って断水が生じた場合に、その復旧まで、或いは救援活動としての給水活動が開始するまでの若干の間、水洗トイレの洗浄水として使用可能な程度の容量であるのが好ましい。また地震等の災害によっても容易に破損を生じない適度の強度を持つものであることが好ましい。
【００３３】
前記脚部材は、タンク本体を地上の一定の高さに支持する部材であり、コンクリートで構成するのが適当である。タンク本体の下部に連結部材を配しておき、該脚部材から立ち上げたアンカーボルトの上部を該連結部材に結合し、これらを介してタンク本体を脚部材に結合固定する。タンク本体の高さは、その底部から取り出す雨水を高低差を利用して建物内の水洗トイレのタンク、或いは便器内に適切な圧力で吐出させることができる程度に設定する。
【００３４】
前記開口部は、タンク本体内の清掃等を行うためのものであり、それが可能な適当な広さを持ったものとする。開口形状は自由であるが、通常、四辺形、円形又は楕円形が適当である。またこの開口部は、ここから内部の雨水を良好に保持するための種々の手段を装入するためにも利用することができる。例えば、木炭又は竹炭等を網袋等に充填した上で吊り下げておくことにより、内部に充填される雨水に臭気が発生するのを防止することが可能である。
更に前記蓋体は、その一端に配したヒンジにより該開口部を開閉自在に閉じる手段であり、ロック手段を備えたものとする。ロック手段の構成は自由である。
【００３５】
前記雨水導入口は、タンク本体の天板のいずれかの部位に構成する。建物の樋と直接に又はホース等を介して接続するものであり、タンク本体から立ち上げたパイプ状の構成とする。上端はホース等と容易に接続できるように接続手段を構成しておくのが好ましい。この雨水導入口には、タンク本体側の端部にストレーナを配しておくのが好ましい。ストレーナとしては、網体又はパンチングメタル等を採用することができる。
【００３６】
この雨水導入口は、タンク本体の天板の異なる複数の位置に構成しておき、それぞれに蓋材を配しておくこととするのが好ましい。建物に近接してこの災害用水タンクを設置する際には、実際には一つしか使用しないが、最も適切な位置のそれを選んで使用することが可能であり、その場合、使用しない残りの雨水導入口は前記蓋材で蓋をしておくことできるようにする訳である。
【００３７】
前記タンク本体の天板部には、前記雨水導入口に加えて、使用済みの浴槽水の導入口を配設しておくのが適当である。これは、該雨水導入口とほぼ同様の構成とすることができる。この浴槽水の導入口は、例えば、これに、先端に水中ポンプを配したホース等を接続し、該ホースの先端を浴槽中に投入して該水中ポンプを動作させ、浴槽水を汲み上げて前記タンク本体中に導入させるように使用するものである。この浴槽水の導入口も天板の複数の位置にそれぞれ構成しておき、前記雨水導入口と同様に、そのいずれか都合の良いものを使用できるようにするのが好ましい。いずれにも蓋材を用意しておき、使用しないものは蓋材で閉じておくようにすべきである。
【００３８】
前記オーバーフロー用の流出管は、ホース部材等の適当な管材で構成し、前記タンク本体の前面上部に接続して垂下させておくものである。その下端は、他のホース等を介して側溝等に接続できるようにしておくのが好ましい。このオーバーフロー用の流出管は、タンク本体に雨水が多量に流入し、オーバーフローが生じた場合に、これを排水するための手段である。
【００３９】
前記水位表示部は、その上端を、タンク本体の前面の上部に、下端をタンク本体の前面の下部にそれぞれ接続した透明パイプで構成したものである。該透明パイプは、側面から見ると、その上端及び下端がタンク本体側に９０度に曲げられた部材であり、その端部がタンク本体の前面上下部で該タンク本体に接続連通しているものである。タンク本体内の雨水がその水位までこの透明パイプ体内に流入することで、タンク本体内の雨水の水位を知ることができる。
【００４０】
前記防災用水取出手段は、タンク本体の底部から垂下させたパイプ体とその途中に接続した開閉バルブとで構成することができる。
【００４１】
前記水遣り用の用水取出口は、前記防災用水取出手段と同様に、タンク本体の底部から垂下させたパイプ体とその途中に接続した開閉バルブとで構成することができる。これには予めドラムに巻回したホース部材を接続しておくのが好ましい。このホース部材としては、例えば、先端に散水用のノズルを取り付け、更にその直前に開閉及び流量の調整を行うことのできるバルブを挿入しておくのが好ましい。
【００４２】
従って本考案の災害用水タンクによれば、これを建物に近接して設置し、その建物の樋を直接に又は何らかのパイプ類を介して雨水導入口に接続して使用することができる。浴槽水の導入口も構成してある場合は、併せてこれに、先端に水中ポンプを挿入したホース等を接続しておき、必要に応じてその先端を浴槽中に投入して、使用済みの浴槽水を該タンク本体内に導入することができるようにする。
【００４３】
通常は、雨が降る毎に、前記樋を通じて流下する雨水が前記雨水導入口を通じてタンク本体内に流入して保管され、常時、タンク本体内の水位を高く保持することができる。タンク本体の容量以上の流入雨水はオーバーフローとなって前記流出管を通じて排出されることになる。流出管をホース類を介して側溝等に接続しておけば、側溝等に適切に排水されることになる。タンク本体内の水位はそのまま水位表示部で表示されるため、これを目視で何時でも確認することができる。
【００４４】
好天が継続して雨水が得られず、タンク本体内の水位が低下するような場合には、前記浴槽水の導入口に接続したホース等を利用し、その先端を建物内の浴槽に投入した上で、水中ポンプを動作させ、使用済みの浴槽水を該タンク本体内に導入することができる。こうして、いずれにしても、経済的に常時タンク本体内の水位を高く保持することができる。
【００４５】
タンク本体中に保管された雨水は、平常時には、その底部下の用水取出口にホース類を接続し、或いは、予め接続してあるホース部材を利用して庭の植物類に水遣りを行う際等に使用することができる。
【００４６】
また、前記防災用水取出手段を平常時であっても水洗トイレの洗浄水の供給口として使用することもできる。
【００４７】
例えば、防災用水取出手段にホースその他の配管類を接続し、該配管類を建物内に導き、別に水洗トイレのボールタップに接続する配管の途中に切換バルブによって分岐を構成し、その一方の分岐を水道配管に、他方の分岐を上記防災用水取出手段から延長した配管類に接続し、これによって水道水と雨水等とを切換利用できるように構成することができる。水道側の配管には逆止弁を挿入して雨水が逆流する虞がないようにする。
【００４８】
こうして同様に平常時にも、庭木等の水遣りや水洗トイレの水洗用その他に雨水や使用済みの浴槽水を有効利用することができる。なお、タンク本体内の雨水は、脚部材によって高所に配したタンク本体と建物内の水洗トイレのタンクとの高低差を利用して後者に導くことができる。ポンプを用意し、これによって圧送することとすることも可能である。
【００４９】
地震等の災害により水道の断水等が生じた場合は、云うまでもなく、前記切換バルブを防災用水タンク側に切り換え、そのタンク本体内の雨水を水洗トイレの水洗水として使用することができる。
【００５０】
なお、前記のような水道配管の途中に切換バルブを挿入するような構成を採用せず、前記防災用水取出手段に接続したホースその他の配管類を単に建物内に導いておき、該ホースその他の配管類の先端に更に開閉弁付きのノズルを取り付けておくことにより、必要に応じて該開閉弁付きのノズルを利用して便器内を洗浄するようにすることもできる。このようにした場合は構成が簡易である利点がある。
【００５１】
また火災が発生した場合は、前記防災用水取出手段から取り出す雨水をその消火用水として使用することも可能である。この場合は、防災用水取出手段にノズル付きのホースを接続して該ノズルから雨水を噴射することで消火活動を行うことができる。前記タンク本体の設置高さに応じた噴出圧力を確保できるので、それに応じた高さ位置までの消火活動を行うことができる。前記のようにポンプを採用すれば、必要な噴出圧力を確保することができる。更に小型発電機を採用し、ポンプ用の電力をこれで確保すれば、停電時にも不都合なくこれを使用することができる。
【００５２】
こうして平常時及び災害時のいずれの場合も雨水を有効利用することができる。
【００５３】
なお水洗トイレの水の噴出量は、考案者の使用するそれでは、大便側にレバーを引くと８Ｌ／１回であり、小便側にレバーを引くと６Ｌ／１回である。一人が１日で小便５回、大便１回の使用で、５人家族の場合は、（５×６Ｌ＋１×８Ｌ）×５人＝１９０Ｌ／５人／１日となる。これだけのトイレの洗浄用水として雨水や使用済み浴槽水を使用することが可能であり、水道代を低減することが可能となる。非常に経済的であり、環境に対する負荷も低下させることができる。
【００５４】
またタンク本体の天板には開口部が構成してあり、これを利用してタンク本体内部の清掃を行い、内部を衛生的に保持することができる。またこの開口部には、前記のように、ロック手段付きの蓋体が配してあるため、通常は、蓋体を閉じてロックしておくことにより、タンク本体内に何かを投入される等のようないたずらを回避することができる。
【００５５】
更に又前記雨水導入口にストレーナが配してあるため、雨水と共に流入する可能性のある枯葉その他のゴミ類がタンク本体内に侵入するのを阻止することができる。時々ストレーナを点検し、ゴミを除去しておけば、雨水の良好な流入を保持することができる。
【実施例】
【００５６】
この実施例の災害用水タンクは、図１〜図３に示すように、基本的に、タンク本体１と、これを支持する脚部材２、２、２と、付設手段である、タンク本体１の天板１ａに開口した開口部１ａ１と、該開口部１ａ１を開閉自在に閉じる蓋体１ａ２と、雨水導入口３と、浴槽水の導入口９と、オーバーフロー用の流出管４と、水位表示部５と、防災用水取出口（防災用水取出手段）６と、水遣り用の用水取出口７とで構成したものである。
【００５７】
前記タンク本体１は、この実施例では、ステンレススチール製の、横幅１８００ｍｍ、奥行き６００ｍｍ、高さ９００ｍｍの直方体状の容器で構成したものである。
【００５８】
前記脚部材２は、幅２００ｍｍ、奥行き６００ｍｍ、高さ６００ｍｍのコンクリート構造物であり、現場で、コンクリート基礎状に構成する。該脚部材２は、該タンク本体１の幅方向を三等分した位置関係で三カ所に設置し、それぞれその上端にはアンカーボルトを埋め込んでおき、各々連結枠（連結部材）８を介してタンク本体１をその上端上に固設する。
【００５９】
前記連結枠８、８、８は、図１〜図３に示すように、タンク本体１の下面に、これを三等分した位置関係で、溶接によって固定したステンレススチール製の枠状部材であり、前記タンク本体１は、前記したように、これらの連結枠８、８、８を介して脚部材２、２、２上に載置する。こうして該脚部材２、２、２上に該連結枠８、８、８を介してタンク本体１を載せると、該脚部材２、２、２上に立ち上げたアンカーボルトが該連結枠８、８、８の該当する部位に開口したボルト穴を貫通してその内部空間に突き出すこととなる。それらのアンカーボルトの上端にナットを螺合することで、タンク本体１を脚部材２、２、２上に固定する。
【００６０】
前記開口部１ａ１は、図１〜図４に示すように、タンク本体１の天板１ａの中央部付近に四辺形に開口した開口構造であり、その縁に沿って側板を立ち上げたものである。この開口部１ａ１には、その一端に配したヒンジｈ、ｈを介して蓋体１ａ２が開閉自在に配してある。該蓋体１ａ２には、該ヒンジｈ、ｈを取り付けた端部と反対側の端部上に取手ｇが配してあり、かつ取手ｇを配した端部にはロック手段が構成してある。
【００６１】
上記ロック手段は、図１、図２及び図４に示すように、前記蓋体１ａ２の先端から突出させた係止環ｋ１と、該蓋体１ａ２が開口部１ａ１に被覆した状態でその先端の係止環ｋ１が外装することとなる位置に立ち上げた係止リングｋ２と、係止環ｋ１が外装した場合に、その上方に突出することとなる係止リングｋ２のリング部に係止する南京錠ｋ３とで構成したものである。
【００６２】
前記雨水導入口３は、図１〜図４に示すように、前記タンク本体１の一端後部側で天板１ａ上に立設するパイプ体であり、図示しないホースを介して、この災害用水タンクを近接して設置する建物の樋と連通する。この雨水導入口３には、そのタンク本体１側の端部に図示しない網体で構成したストレーナを配しておくことにする。
【００６３】
前記浴槽水の導入口９は、図１〜図４に示すように、前記タンク本体１の一端前部側で天板部１ａ上に立設するタケノコ状のパイプ体である。図示しない水中ポンプを先端に取り付けたホースを浴室から建物の壁を貫通して外部に引きだ出し、その外端を該導入口９に接続し、必要に応じて浴槽中に該水中ポンプを投入してこれを駆動させ、使用済みの浴槽水を汲み上げてタンク本体１中に導入できるようにすることができる。
【００６４】
前記オーバーフロー用の流出管４は、特に図２に示すように、前記タンク本体１の前面最上部に接続し、ここから垂下させたパイプ体であり、この災害用水タンクを建物に近接して設置する際には、該流出管４の下端には図示しない他のホース等を介して側溝等に接続するようにする。
【００６５】
前記水位表示部５は、図１に示すように、その上端を、タンク本体１の前面の最上部に、下端を該タンク本体１の前面の最下部にそれぞれ接続したプラスチック製の透明パイプで構成したものである。該透明パイプは、側面から見ると、図３に示すように、その上端及び下端がタンク本体１側に直角に曲げられた部材であり、その各端部がタンク本体１の前面上下部で該タンク本体１に接続連通している。タンク本体１内の雨水がその水位までこの透明パイプ体内に流入することで、タンク本体１内の雨水の水位を知ることができるようになっている。
【００６６】
前記防災用水取出口６は、図１に示すように、タンク本体１の底部から垂下させたパイプ体とその途中に接続した開閉バルブとで構成したものであり、この実施例では、正面から見て右側下部から垂下させた構成とした。
【００６７】
前記水遣り用の用水取出口７は、図１に示すように、前記防災用水取出口６と全く同様に構成したものであり、タンク本体１の底部から垂下させたパイプ体とその途中に接続した開閉バルブとで構成したものであり、この実施例では、正面から見て左側下部から垂下させた構成とした。同図に示すように、該水遣り用の用水取出口７には、この実施例では、予めドラムｄに巻回したホースｐを接続した。このホースｐは、先端に散水用のノズルを備え、更にその直前に開閉及び流量の調整を行うことのできるバルブが挿入してあるものである。
【００６８】
従ってこの実施例の災害用水タンクは、これを建物に近接して設置して使用する。この実施例では建物のトイレのある位置に近接して設置する。前記したように、現場打ちでコンクリート製の脚部材２、２、２を築造し、前記したように、これに埋設したアンカーボルトを利用してその上に前記タンク本体１を載置固定する。
【００６９】
前記雨水導入口３に、図示しない建物の樋をホースを介して接続し、かつ前記浴槽水の導入口９には、建物の浴室から壁を貫通させて引き出した図示しないホースを接続する。後者のホースは、先端に水中ポンプを取り付けたものであり、必要に応じて該水中ポンプを浴槽中に投入してこれを駆動させ、使用済みの浴槽水を汲み上げることができるようになっているものである。また図示しない網袋に竹炭を充填し、これを開口部１ａ１からタンク本体１内に吊り下げておくことにする。これによって内部に充填される雨水等に臭気が発生するのを防止する趣旨である。
【００７０】
雨が降る毎に、前記樋を通じて雨水が流下し、この雨水が前記雨水導入口３を通じてタンク本体１内に流入して保管され、タンク本体１内の水位は高く保持されるようになっている。タンク本体１の容量以上に雨水が流入した場合は、オーバーフローとなって前記流出管４を通じて排出されることになる。流出管４は、前記のように、ホース類を介して側溝等に接続しておくことにより、そのように適切に排水されることになる。タンク本体１内の水位はそのまま水位表示部５で表示されるため、これを目視で何時でも確認することができる。
【００７１】
好天が継続して雨水が得られず、タンク本体１内の水位が低下するような場合には、前記浴槽水の導入口９に接続したホースを利用して使用済み浴槽水を汲み上げ、タンク本体１中に導入する。ホースの先端に配した水中ポンプを建物内の浴槽に投入した上で、該水中ポンプを動作させることで、使用済みの浴槽水を汲み上げ、これを該浴槽水の導入口３を通じて該タンク本体１内に導入することができる。
【００７２】
こうして、雨水が利用できる場合は、雨水を、それが不足する場合は、使用済みの浴槽水をタンク本体１中に導入することにして、いずれにしても、経済的に常時タンク本体１内の水位を高く保持することができる。
【００７３】
以上のようにしてタンク本体１中に保管された雨水等は、平常時には、この実施例では、その底部下の用水取出口７に予め接続してあるホースｐを利用して庭の植物類に水遣りを行う際等に使用することができる。
【００７４】
また、前記防災用水取出口６は、火災の際の消火用や地震で断水した際のトイレの洗浄水用として使用する等の非常用のものであるが、これを平常時の水洗トイレの洗浄水の供給口として使用することもできる。水遣り用等も可能である、
【００７５】
平常時の水洗トイレ用水の供給口として利用する場合は、前記防災用水取出口６にホース類を接続し、該ホース類を壁を貫通させて建物内に導き、別に建物内の水洗トイレのボールタップに接続する配管の途中に切換バルブによって分岐を構成し、その分岐の一方を水道配管に、分岐の他方を上記防災用水取出口６から延長したホース類に接続し、これによって水道水とタンク本体１の雨水とを切換利用できるように構成する。水道側の配管には逆止弁を挿入して雨水が逆流する虞がないようにする。
【００７６】
こうして平常時にも、庭木等の水遣りや水洗トイレの水洗用その他に雨水や使用済みの浴槽水を有効利用することができる。なお、タンク本体１内の雨水は、脚部材２、２、２によって高所に配したタンク本体１と建物内の水洗トイレのタンクとの高低差を利用して後者に導くことができる。
【００７７】
地震等の災害により水道の断水等が生じた場合は、云うまでもなく、前記切換バルブを防災用水タンク側に切り換え、そのタンク本体１内の雨水を水洗トイレの水洗水として使用することができる。
【００７８】
なお、前記のような水道配管の途中に切換バルブを挿入するような構成を採用せず、前記防災用水取出口６に接続したホース類を単に壁を貫通させて建物内に導いておき、該ホース類の先端に更に開閉弁付きのノズルを取り付けておくことにより、必要に応じて該開閉弁付きのノズルを利用して便器内を洗浄するようにすることもできる。
【００７９】
また火災が発生した場合は、前記防災用水取出口６から取り出す雨水をその消火用水として使用することも可能である。この場合は、防災用水取出口６にノズル付きのホースを接続して該ノズルから雨水を噴射させることで消火活動を行うことができる。前記タンク本体１の設置高さに応じた噴出圧力を確保できるので、それに応じた高さ位置までの消火活動を行うことができる。
【００８０】
こうして平常時及び災害時のいずれの場合も雨水や使用済み浴槽水を有効利用することができる。
【００８１】
またタンク本体１の天板１ａには開口部１ａ１が構成してあり、これを利用してタンク本体１内部の清掃を行い、内部を衛生的に保持することができる。またこの開口部１ａ１には、前記のように、ロック手段付きの蓋体１ａ２が配してあるため、通常は、該蓋体１ａ２を閉じて、係止リングｋ２に外装した係止環ｋ１に南京錠ｋ３を係止することにより該蓋体１ａ２の閉止状態をロックしておくことにより、タンク本体１内に何かを投入される等のようないたずらを回避することができる。
【００８２】
更に又前記雨水導入口３にはストレーナが配してあるため、雨水と共に流入する可能性のある枯葉その他のゴミ類がタンク本体１内に侵入するのを阻止することができる。時々ストレーナを点検し、ゴミを除去しておけば、雨水の良好な流入を保持することもできる。
【図面の簡単な説明】
【００８３】
【図１】実施例の災害用水タンクの正面図。
【図２】実施例の災害用水タンクの右側面図。
【図３】実施例の災害用水タンクの左側面図。
【図４】実施例の災害用水タンクの平面図。
【符号の説明】
【００８４】
１    タンク本体
１ａ  天板
１ａ１  開口部
１ａ２  蓋体
２    脚部材
３    雨水導入口
４    流出管
５    水位表示部
６    防災用水取出口（防災用水取出手段）
７    水遣り用の用水取出口
８    連結枠（連結部材）
９    浴槽水の導入口
ｄ    ドラム
ｇ    取手
ｈ    ヒンジ
ｋ１  係止環
ｋ２  係止リング
ｋ３  南京錠
ｐ    ホース
【図１】
0003121589.tif 000003
【図２】
0003121589.tif 000004
【図３】
0003121589.tif 000005
【図４】
0003121589.tif 000006